(57)【要約】【課題】時代が異なる人、人と動物、ある種の動物と別の種の動物など、時代や種などの属性が異なる複数の個体を、時代や種などの属性の違いを捨象して、より普遍的に比較対照できるようにする。【解決手段】ユーザが飼っているチワワ（愛称：モモ）とユーザ自身の対照年表を作成表示する場合、チワワおよび人の平均寿命期間が、同じ位置および長さとなるように時間軸４を設定表示する。これによれば、現在、モモが１３歳、ユーザが３１歳であっても、チワワと人という種の違いを捨象した観点からは、モモの方がユーザより、かなり老いていることが分かる。時代が異なる人の対照年表を作成表示する場合にも、同様に、各時代の人の平均寿命期間が、同じ位置および長さとなるように時間軸を設定表示することによって、例えば、織田信長が４７歳で死亡したことは、時代の違いを捨象した人の一生という観点からは、早世ではないことが分かる。【選択図】図７
2008129752.tif 000002
【特許請求の範囲】
【請求項１】
属性が異なる複数の個体に関連する事項情報を画面上に表示する方法であって、
各個体の属性に応じた時間である属性対応時間を示す情報を取得する情報取得工程と、
その取得された情報で示される各個体の属性対応時間が、時間軸方向において、同じ位置および同じ表示長、または同じ位置または同じ表示長となるように、画面上に時間軸を設定する時間軸設定工程と、
その設定された時間軸に関連づけて、画面上に各個体に関連する事項情報を表示する情報表示工程と、
を備えることを特徴とする情報表示方法。
【請求項２】
請求項１の情報表示方法において、
各個体は、誕生から死滅に至る過程が観念されるものであり、
前記属性は、各個体が属する時代、地域、種別または性別であり、
前記属性対応時間は、各個体の平均寿命期間、各個体の誕生から成熟したと認められる年齢までの期間、各個体の誕生から老年と認められる年齢までの期間、各個体の成熟したと認められる年齢から老年と認められる年齢までの期間、各個体の成熟したと認められる年齢から平均寿命の年齢までの期間、または各個体の老年と認められる年齢から平均寿命の年齢までの期間である、
ことを特徴とする情報表示方法。
【請求項３】
請求項１の情報表示方法において、
各個体は、誕生から死滅に至る過程が観念されるものであり、
前記属性は、各個体が属する時代、地域、種別または性別であり、
前記属性対応時間は、各個体の成熟したと認められる年齢、老年と認められる年齢、または平均寿命の年齢である、
ことを特徴とする情報表示方法。
【請求項４】
請求項１の情報表示方法において、
前記情報取得工程では、前記属性対応時間を示す情報をネットワークを介して取得することを特徴とする情報表示方法。
【請求項５】
請求項１の情報表示方法において、
前記事項情報の一部または全部は、コンテンツに関連するものであり、
そのコンテンツに関連する事項情報が選択されたとき、その選択された事項情報に関連するコンテンツを再生する工程を備える、
ことを特徴とする情報表示方法。
【請求項６】
請求項５の情報表示方法において、
前記コンテンツ再生工程では、ネットワークを介して取得したコンテンツデータによってコンテンツを再生することを特徴とする情報表示方法。
【請求項７】
請求項１の情報表示方法において、
前記事項情報の一部または全部は、商品またはサービスに関連するものであり、
その商品またはサービスに関連する事項情報が選択されたとき、ネットワークを介して、その選択された事項情報に関連する商品またはサービスの購入処理を実行する工程を備える、
ことを特徴とする情報表示方法。
【請求項８】
属性が異なる複数の個体に関連する事項情報を画面上に表示するように情報を処理する装置であって、
各個体の属性に応じた時間である属性対応時間を示す情報を取得する情報取得手段と、
その取得された情報で示される各個体の属性対応時間が、時間軸方向において、同じ位置および同じ表示長、または同じ位置または同じ表示長となるように、画面上に時間軸を設定する時間軸設定手段と、
その設定された時間軸に関連づけて、画面上に各個体に関連する事項情報を表示する情報表示手段と、
を備えることを特徴とする情報処理装置。
【請求項９】
請求項８の情報処理装置において、
各個体は、誕生から死滅に至る過程が観念されるものであり、
前記属性は、各個体が属する時代、地域、種別または性別であり、
前記属性対応時間は、各個体の平均寿命期間、各個体の誕生から成熟したと認められる年齢までの期間、各個体の誕生から老年と認められる年齢までの期間、各個体の成熟したと認められる年齢から老年と認められる年齢までの期間、各個体の成熟したと認められる年齢から平均寿命の年齢までの期間、または各個体の老年と認められる年齢から平均寿命の年齢までの期間である、
ことを特徴とする情報処理装置。
【請求項１０】
請求項８の情報処理装置において、
各個体は、誕生から死滅に至る過程が観念されるものであり、
前記属性は、各個体が属する時代、地域、種別または性別であり、
前記属性対応時間は、各個体の成熟したと認められる年齢、老年と認められる年齢、または平均寿命の年齢である、
ことを特徴とする情報処理装置。
【請求項１１】
請求項８の情報処理装置において、
前記情報取得手段は、前記属性対応時間を示す情報をネットワークを介して取得することを特徴とする情報処理装置。
【請求項１２】
請求項８の情報処理装置において、
前記事項情報の一部または全部は、コンテンツに関連するものであり、
当該情報処理装置は、そのコンテンツに関連する事項情報が選択されたとき、その選択された事項情報に関連するコンテンツを再生する手段を備える、
ことを特徴とする情報処理装置。
【請求項１３】
請求項１２の情報処理装置において、
前記コンテンツ再生手段は、ネットワークを介して取得されたコンテンツデータによってコンテンツを再生することを特徴とする情報処理装置。
【請求項１４】
請求項８の情報処理装置において、
前記事項情報の一部または全部は、商品またはサービスに関連するものであり、
当該情報処理装置は、その商品またはサービスに関連する事項情報が選択されたとき、ネットワークを介して、その選択された事項情報に関連する商品またはサービスの購入処理を実行する手段を備える、
ことを特徴とする情報処理装置。
【請求項１５】
属性が異なる複数の個体に関連する事項情報を画面上に表示するために、コンピュータを、
各個体の属性に応じた時間である属性対応時間を示す情報を取得する手段、
その取得された情報で示される各個体の属性対応時間が、時間軸方向において、同じ位置および同じ表示長、または同じ位置または同じ表示長となるように、画面上に時間軸を設定する手段、および、
その設定された時間軸に関連づけて、画面上に各個体に関連する事項情報を表示する手段、
として機能させることを特徴とする情報表示用プログラム。
【発明の詳細な説明】
【技術分野】
【０００１】
この発明は、それぞれ人または動物などの複数の個体の履歴情報などの事項情報を画面上に表示する方法、その情報表示方法を実行する情報処理装置、および、その情報表示用のコンピュータプログラムに関する。
【背景技術】
【０００２】
歴史的または履歴的な事項を、年表データとして記述し、年表形式で表示することが考えられており、日本史と世界史、社会的な背景と会社の歴史、などを対照年表として表示することも考えられている。
【０００３】
具体的に、特許文献１（特開平１１−２４９６４０号公報）には、日時データと事象データとの対からなる年表データによって、ユーザの誕生から今に至るまでの履歴を、０歳から４歳までの期間、５歳から９歳までの期間、１０歳から１４歳までの期間、というような数年ごとの期間に分けて、表示することが示されている。
【０００４】
また、特許文献２（特開平１１−６６０４９号公報）には、ネットワークを介してユーザ端末と接続されるサーバにおいて、ユーザ端末から年表表示要求があったとき、個人イベントデータベースから要求元の個人年表情報を読み取り、歴史イベントデータベースから歴史情報を読み取って、両者を対応させて配置した年表を表示するためのデータを生成し、要求元のユーザ端末に送信することが示されている。
【０００５】
さらに、特許文献３（特開２００６−４１５２号公報）には、初期設定画面において、ユーザが誕生年または現在の年齢を入力することによって、年代検索実行画面が表示され、この年代検索実行画面において、ユーザが高校１年または１６歳などというように年代（学年または年齢）を指定することによって、その指定された年代に対応する暦年（例えば、２００５年の時点で、誕生年として１９６７年が、または現在の年齢として３８歳が入力され、年代として高校１年または１６歳が指定された場合には、１９８３年）に発売された曲やヒットした曲のタイトルなどが検索結果画面として表示されるようにすることが示されている。
【０００６】
上に挙げた先行技術文献は、以下の通りである。
【特許文献１】特開平１１−２４９６４０号公報
【特許文献２】特開平１１−６６０４９号公報
【特許文献３】特開２００６−４１５２号公報
【発明の開示】
【発明が解決しようとする課題】
【０００７】
しかしながら、特許文献２に示されるような従来の対照年表は、単純に暦年順に、社会の歴史と個人の履歴など、２通りの歴史的または履歴的な事項を、左右または上下に並べて表示するため、例えば、異なる時代の人の履歴を対照年表として表示する場合、時代という属性（偶有的属性）の違いを捨象して、より普遍的に（本質的属性のみで概念的に）人を比較対照することが難しい。
【０００８】
例えば、ユーザの履歴と織田信長の履歴とを対照年表として表示する場合、両者の出生年および各年齢を年表軸方向の同じ位置に合わせて、年表軸の始点位置には、ユーザが１９６０年に出生したこと、および織田信長が１５３４年に出生したことを表示し、以下、ユーザおよび織田信長の履歴を対照的に表示することが考えられる。
【０００９】
この場合、織田信長が１５歳で元服し（成人と認められ）、１５８２年に４７歳で死亡した、という履歴から、一見、織田信長は早成し、かつ早世したように思える。
【００１０】
しかし、織田信長の時代と現在では、時代、社会的な状況、人の平均寿命などが異なるので、織田信長が早成し、かつ早世したとは、必ずしも言えない。
【００１１】
すなわち、上記のように、時代などの属性が異なる人の履歴を、単純に年齢順に対照表示したのでは、時代などの属性の違いを捨象して、より普遍的に人を比較対照することは困難である。
【００１２】
そこで、この発明は、時代が異なる人、人と動物、ある種の動物と別の種の動物など、時代や種などの属性が異なる複数の個体を、時代や種などの属性の違いを捨象して、より普遍的に比較対照することができるようにしたものである。
【課題を解決するための手段】
【００１３】
この発明の情報表示方法は、
属性が異なる複数の個体に関連する事項情報を画面上に表示する方法であって、
各個体の属性に応じた時間である属性対応時間を示す情報を取得する情報取得工程と、
その取得された情報で示される各個体の属性対応時間が、時間軸方向において、同じ位置および同じ表示長、または同じ位置または同じ表示長となるように、画面上に時間軸を設定する時間軸設定工程と、
その設定された時間軸に関連づけて、画面上に各個体に関連する事項情報を表示する情報表示工程と、
を備えることを特徴とする。
【００１４】
上記の情報表示方法では、例えば、ユーザの履歴と織田信長の履歴とを対照年表として表示する場合、画面上の時間軸上では、例えば、現在の人の平均寿命期間（例えば８０年）と、織田信長の時代の人の平均寿命期間（例えば５０年）とが、同じ位置および同じ表示長で表される。
【００１５】
そのため、時代の違いを捨象した、人の一生という観点からは、織田信長や織田信長の時代の人が１５歳で成人と認められたことは、必ずしも早成とは言えないことが分かるとともに、織田信長が１５８２年に４７歳で死亡したことも、必ずしも早世とは言えないことが分かる。
【発明の効果】
【００１６】
以上のように、この発明によれば、時代が異なる人、人と動物、ある種の動物と別の種の動物など、時代や種などの属性が異なる複数の個体を、時代や種などの属性の違いを捨象して、より普遍的に比較対照することができるようになる。
【発明を実施するための最良の形態】
【００１７】
［１．システム構成：図１および図２］
図１は、この発明の情報表示方法を実行するシステムの一例を示す。
【００１８】
この例のシステムは、ユーザ側の情報処理装置１０がインターネット１００を介してサーバ９１に接続される。
【００１９】
情報処理装置１０は、情報を処理し、表示する機能、およびインターネット１００に接続する機能を備えるとともに、コンテンツの再生として、音楽データによって音楽を再生し、画像データによって画像を再生する機能を備えるものである。
【００２０】
具体的に、情報処理装置１０は、ＣＰＵ１１を備え、そのバス１２には、プログラムおよびデータが展開されるメインメモリ１３が接続され、インタフェース１４を介して操作入力部１５が接続される。
【００２１】
また、バス１２には、インタフェース２１を介して内部記憶装置２２が接続され、表示処理部２４を介してディスプレイ２５が接続され、音声処理部２７を介して音声出力部２８が接続される。
【００２２】
内部記憶装置２２は、半導体メモリやハードディスクなどによって構成され、情報表示用プログラムを含む各種プログラム、および各種の情報およびコンテンツデータなどのデータが記録保存されるものである。
【００２３】
表示処理部２４は、画面データおよび画像データを復号処理するものであり、ディスプレイ２５は、画面および画像を表示する液晶ディスプレイまたは有機ＥＬディスプレイなどであり、音声処理部２７は、音楽データなどの音声データを復号処理するものであり、音声出力部２８は、音声増幅回路およびスピーカ（ヘッドホン）である。
【００２４】
さらに、バス１２には、外部のローカルストレージ３１と接続するための外部インタフェース３２、およびインターネット１００に接続するための外部ネットワークインタフェース３３が接続される。
【００２５】
ローカルストレージ３１には、各種の情報およびコンテンツデータなどのデータが記録保存され、ローカルストレージ３１から情報処理装置１０に、それらのデータが取り込まれる。
【００２６】
サーバ９１は、Ｗｅｂサイト上のＷｅｂサービスなどとして、各種の情報およびコンテンツなどを提供し、情報処理装置１０からの要求に応じて情報処理装置１０に、各種の情報およびコンテンツデータなどのデータを送信するもので、これには、各種の情報およびコンテンツデータなどのデータが蓄積されるネットワークストレージ９２が接続される。
【００２７】
以上の例の情報処理装置１０は、事項情報の表示、コンテンツの再生、および商品またはサービスの購入に関しては、図２に示すように、制御部４１、情報取得部４２、時間軸設定部４３、情報表示部４４、コンテンツ再生部４５および購入処理部４６によって構成される。
【００２８】
制御部４１は、ＣＰＵ１１およびメインメモリ１３によって構成され、情報取得部４２は、ＣＰＵ１１、インタフェース２１、外部インタフェース３２および外部ネットワークインタフェース３３によって構成され、時間軸設定部４３は、ＣＰＵ１１、メインメモリ１３および表示処理部２４によって構成され、情報表示部４４は、ＣＰＵ１１、メインメモリ１３および表示処理部２４によって構成され、コンテンツ再生部４５は、ＣＰＵ１１、メインメモリ１３、表示処理部２４および音声処理部２７によって構成され、購入処理部４６は、ＣＰＵ１１、メインメモリ１３および表示処理部２４によって構成される。
【００２９】
［２．属性が異なる人の対照年表の作成表示：図３〜図６］
図１の例のシステムでは、情報処理装置１０は、以下のように、時代などの属性が異なる人の対照年表を作成表示する。
【００３０】
（２−１．時代が異なる人の平均寿命期間を同一に表示する場合：図３および図４）
まず、時代が異なる人の対照年表を作成表示し、かつ、時間軸上で各時代の人の平均寿命期間の位置および長さを同じにする場合を示す。
【００３１】
＜対照年表の作成表示＞
ユーザは、対照年表を作成表示しようとするときには、操作入力部１５での操作によって、ディスプレイ２５上に、例えば、図３に示すような画面１を表示させる。
【００３２】
具体的に、画面１には、操作入力領域２および年表表示領域３を設け、操作入力領域２には、年表指定欄２ａおよび２ｂ、および選択ボタン２ｃなどの各種ボタンを設ける。
【００３３】
ユーザは、例えば、織田信長とユーザ自身の対照年表を作成表示しようとする場合、年表指定欄２ａで、一方の年表Ａとして織田信長を指示し、年表指定欄２ｂで、他方の年表Ｂとしてユーザ自身を指示する。
【００３４】
なお、年表指定欄２ａおよび２ｂは、プルダウンメニュー方式などによって、あらかじめ各時代の著名な人物などが記述され、ユーザが、その中から一人を選択できるように構成することもできる。
【００３５】
このように各人を指定し、さらに選択ボタン２ｃを操作すると、情報処理装置１０のＣＰＵ１１は、外部ネットワークインタフェース３３によってインターネット１００上から、または外部インタフェース３２によってローカルストレージ３１から、またはインタフェース２１によって内部記憶装置２２から、指定された各人の年表情報を取得する。
【００３６】
具体的に、織田信長の年表情報は、内部記憶装置２２またはローカルストレージ３１に記録されていれば、内部記憶装置２２またはローカルストレージ３１から取得することができるが、内部記憶装置２２およびローカルストレージ３１に記録されていないときには、インターネット１００上から取得することができる。また、ユーザ自身の年表情報は、あらかじめ内部記憶装置２２またはローカルストレージ３１に記録されていることによって、内部記憶装置２２またはローカルストレージ３１から取得することができる。
【００３７】
情報処理装置１０のＣＰＵ１１は、各人の年表情報を取得したら、その年表情報によって、各人の属性として、各人の時代（各人が生きていた時代、または生きている時代）を特定する。この例では、織田信長については、その年表情報から、日本の戦国時代（戦国時代から安土桃山時代にかけての時代）と特定し、ユーザ自身については、その年表情報から、現在（２００６年）と特定する。
【００３８】
さらに、情報処理装置１０のＣＰＵ１１は、各時代（各人の時代）の人の平均寿命を示す情報を取得し、各時代の人の平均寿命を検出する。
【００３９】
人の平均寿命を示す情報も、インターネット１００上から、または内部記憶装置２２またはローカルストレージ３１から、取得する。
【００４０】
人の平均寿命は、国などの地域によっても異なり、性別などによっても異なる。そのため、時代、地域、性別などの属性ごとに、人の平均寿命が統計的に算出または推定されている場合には、その各属性に適合した平均寿命を利用する。
【００４１】
情報処理装置１０のＣＰＵ１１は、このように各時代の人の平均寿命を検出したら、それら各時代の人の平均寿命期間が、時間軸上で同じ位置および長さとなるように、年表表示領域３上に時間軸を設定表示する。
【００４２】
織田信長とユーザ自身の対照年表を作成表示する場合、例えば、
（ａ）織田信長が生きていた戦国時代の日本人の平均寿命（男女平均）は５０歳、
（ｂ）現在の日本人の平均寿命（男女平均）は８０歳、
とすると、図３に示すように、時間軸４の始点から別の点までの、ある長さ分を、平均寿命期間４ａとするとともに、この平均寿命期間４ａを、戦国時代の人については、生まれてから平均寿命の年齢に達するまでの５０年の期間とし、現在の人については、生まれてから平均寿命の年齢に達するまでの８０年の期間とする。
【００４３】
したがって、時間軸４の１０ｍｍまたは１００ｍｍというような単位長さ当たりの時間長は、戦国時代の人については、現在の人の５／８となり、逆に現在の人については、戦国時代の人の１．６倍となる。
【００４４】
情報処理装置１０のＣＰＵ１１は、このように年表表示領域３上に時間軸４を設定表示したら、さらに、その時間軸４に関連づけて、年表表示領域３上に、織田信長の年表情報およびユーザ自身の年表情報を表示する。
【００４５】
図３中の「木下吉郎」は、ユーザ自身で、図３の例は、織田信長の年表情報として、５つの事項情報７ａ，７ｂ，７ｃ，７ｄおよび７ｅが表示され、ユーザ自身の年表情報として、６つの事項情報８ａ，８ｂ，８ｃ，８ｄ，８ｅおよび８ｆが表示される場合である。
【００４６】
この例によれば、戦国時代の人が成人と認められた１５歳という時期は、戦国時代の人の平均寿命と比較すると、その３／１０の時期であるのに対して、現在の人が成人と認められる２０歳という時期は、現在の人の平均寿命と比較すると、その２．５／１０の時期である。
【００４７】
したがって、織田信長や戦国時代の人が成人と認められた１５歳という時期は、現在の人が成人と認められる２０歳という時期と比較すると、時代の違いを捨象した人の一生という観点からは、早くはないことが分かる。
【００４８】
また、織田信長が４７歳で死亡したことも、戦国時代の人の平均寿命や、時代の違いを捨象した人の一生という観点からは、早世ではないことが分かる。
【００４９】
すなわち、この例によれば、時代の違いを捨象して、織田信長または戦国時代の人と、ユーザ自身または現在の人とを、より普遍的に比較対照することができる。
【００５０】
図４に、図３のように対照年表を作成表示する場合に、情報処理装置１０のＣＰＵ１１が情報表示用プログラムに従って行う一連の処理の一例を示す。
【００５１】
この例では、ユーザが年表指定欄２ａ，２ｂで年表Ａ，Ｂ（各人）を指定し、選択ボタン２ｃを操作することによって、ＣＰＵ１１は、対照年表の作成表示のための処理を開始して、まずステップ５１で、指定された各人の年表情報を取得し、次にステップ５２で、その年表情報によって、各人の時代を特定する。
【００５２】
ＣＰＵ１１は、次にステップ５３で、その特定された各時代の人の平均寿命を示す情報を取得し、次にステップ５４で、それぞれの平均寿命期間が同じ位置および長さとなるように、年表表示領域３上に時間軸４を設定表示し、さらにステップ５５に進んで、ステップ５１で取得した各人の年表情報（事項情報）を、ステップ５４で設定表示した時間軸４に関連づけて表示する。
【００５３】
なお、年表情報から時代を特定できない場合には、画面１上で、その旨をユーザに呈示し、ユーザに時代を入力させるようにすればよい。また、当該の時代の人の平均寿命を示す情報を取得できない場合にも、画面１上で、その旨をユーザに呈示し、ユーザに平均寿命を入力させるようにすればよい。なお、時間軸の表示と年表情報の表示は、同時に行うようにしてもよい。
【００５４】
以上の処理の結果、図３のように年表表示領域３上に作成表示された対照年表は、対照年表情報として、内部記憶装置２２またはローカルストレージ３１に保存できるようにする。これによれば、ユーザは、別の機会に直接、当該の対照年表をディスプレイ２５上に表示させることができる。
【００５５】
＜コンテンツの再生＞
対照年表中の事項情報の一部または全部は、コンテンツに関連するものとすることができる。
【００５６】
例えば、図３の例の事項情報７ｅに対して、ある映画で織田信長が本能寺で敵の軍勢と戦っている場面の画像（動画または静止画）を付属させ、事項情報８ｃに対して、ユーザが当時よく聴いていた音楽を付属させる場合である。
【００５７】
このように事項情報の一部または全部をコンテンツに関連するものとする場合には、対照年表の作成表示時、そのコンテンツが再生されるようにする。
【００５８】
例えば、図３の例で、事項情報８ｃに対してのみ、音楽が関連づけられている場合、図３のように対照年表が作成表示されたとき、自動的に、その音楽が再生されるようにする。
【００５９】
また、例えば、図３の例で、事項情報７ｃ，７ｅ，８ａ，８ｂおよび８ｄに対して画像が関連づけられ、事項情報８ａ，８ｃおよび８ｄに対して音楽が関連づけられている場合、ユーザのクリック操作などによって、事項情報８ａが選択されたときには、これに関連づけられている音楽が再生され、事項情報８ｄが選択されたときには、これに関連づけられている画像および音楽が再生されるようにする。
【００６０】
コンテンツ再生のための、画像データや音楽データなどのコンテンツデータは、内部記憶装置２２またはローカルストレージ３１に記録されていれば、内部記憶装置２２またはローカルストレージ３１から取得し、内部記憶装置２２およびローカルストレージ３１に記録されていないときには、インターネット１００上から取得する。再生された画像は、例えば、画面１の一部領域に表示されるようにする。
【００６１】
このとき、インターネット１００上から取得したコンテンツデータも、当該の対照年表に対応づけて、内部記憶装置２２またはローカルストレージ３１に保存できるようにすることが望ましい。これによれば、上記のように別の機会に当該の対照年表をディスプレイ２５上に表示するとき、同時に、画像や音楽などのコンテンツも再生することができる。
【００６２】
＜商品またはサービスの購入＞
対照年表中の事項情報の一部または全部は、インターネット１００上で購入することができる商品またはサービスに関連するものとすることができる。
【００６３】
例えば、ある事項情報が、ある商品またはサービスを示した画像や文字を含み、かつ、その事項情報に、その商品またはサービスの販売元のアドレス（ＵＲＬ）が付属されている場合である。
【００６４】
この場合、ユーザが当該の商品またはサービスを購入しようとして、当該の事項情報に対して所定の操作をしたときには、ＣＰＵ１１は、購入処理を実行するようにする。
【００６５】
具体的に、ＣＰＵ１１は、まず、外部ネットワークインタフェース３３によって上記のアドレスに接続して、ディスプレイ２５上に購入用画面を表示する。ユーザが、その購入用画面上で、当該の商品またはサービスの購入を申し込み、代金の支払方法などを入力すれば、ユーザ側の情報処理装置１０と販売元のサーバとの間で購入処理が実行され、ユーザは当該の商品またはサービスを購入することができる。
【００６６】
（２−２．他の期間を同じ位置および長さに表示する場合：図５）
上記のように時代が異なる人の対照年表を作成表示する場合、平均寿命期間ではなく、例えば、各時代の人の未成年（未成熟）期間、すなわち生まれてから成人と認められる（成熟したと認められる）年齢までの期間が、時間軸上で同じ位置および長さとなるように、時間軸を設定表示してもよい。
【００６７】
具体的に、上記のように織田信長とユーザ自身の対照年表を作成表示する場合、図５に示すように、時間軸４の始点から別の点までの、ある長さ分を、未成年期間４ｃとするとともに、この未成年期間４ｃを、戦国時代の人については、成人と認められた１５歳に達するまでの１５年の期間とし、現在の人については、成人と認められる２０歳に達するまでの２０年の期間とする。
【００６８】
したがって、時間軸４の１０ｍｍまたは１００ｍｍというような単位長さ当たりの時間長は、戦国時代の人については、現在の人の３／４となり、逆に現在の人については、戦国時代の人の１．３３倍となる。また、未成年期間４ｃの表示長をＬとすると、戦国時代の人の平均寿命期間（５０年）の表示長は３．３３Ｌとなり、現在の人の平均寿命期間（８０年）の表示長は４Ｌとなる。
【００６９】
この場合、同時に、例えば、時間軸４の上辺上の、戦国時代の人の５０歳を示す点と、時間軸４の下辺上の、現在の人の８０歳を示す点とを結ぶ直線４ｄを、時間軸４上に表示することによって、戦国時代の人の平均寿命期間、および現在の人の平均寿命期間が、一目で分かるようにすると、好適である。
【００７０】
この例によれば、時代の違いによる、成人と認められる年齢の違いや、未成年の期間の絶対的な時間長の違いを捨象して、織田信長または戦国時代の人と、ユーザ自身または現在の人とを、より普遍的に比較対照することができる。
【００７１】
未成年期間ではなく、各時代の人の、生まれてから老年と認められる年齢までの期間、成人と認められる年齢から老年と認められる年齢までの期間、成人と認められる年齢から平均寿命の年齢までの期間、または老年と認められる年齢から平均寿命の年齢までの期間などが、時間軸上で同じ位置および長さとなるように、時間軸を設定表示してもよい。
【００７２】
（２−３．時代に応じた時期を同じ位置に表示する場合：図６）
上記のように時代が異なる人の対照年表を作成表示する場合、各時代の人の成人と認められる年齢などの時期（時点）が、時間軸方向において同じ位置となるように、時間軸を設定表示してもよい。
【００７３】
具体的に、上記のように織田信長とユーザ自身の対照年表を作成表示する場合、図６に示すように、戦国時代の人が成人と認められた年齢（１５歳）と、現在の人が成人と認められる年齢（２０歳）が、同じ位置となるように、戦国時代の人につき時間軸５を設定表示し、現在の人につき時間軸６を設定表示する。
【００７４】
この場合、戦国時代の人の平均寿命期間は、時間軸５上の斜線部分５ａおよび５ｂで示すように、５０年の期間に相当する長さで表示し、現在の人の平均寿命期間は、時間軸６上の斜線部分６ａおよび６ｂで示すように、８０年の期間に相当する長さで表示する。
【００７５】
この例によれば、時代の違いによる成人と認められる年齢の違いを捨象して、織田信長または戦国時代の人と、ユーザ自身または現在の人とを、より普遍的に比較対照することができる。
【００７６】
成人と認められる年齢ではなく、各時代の人の、老年と認められる年齢、または平均寿命の年齢などが、時間軸上で同じ位置となるように、時間軸を設定表示してもよい。
【００７７】
（２−４．ある期間を同じ長さに表示する場合）
各時代の人の、ある期間が、時間軸方向において同じ位置ではないが、同じ表示長となるように、時間軸を設定表示してもよい。
【００７８】
例えば、上記のように織田信長とユーザ自身の対照年表を作成表示する場合、図６の例と同様に、戦国時代の人についての時間軸と、現在の人についての時間軸を、別個に設定するが、それぞれの０歳は、同じ位置にするとともに、それぞれの老年と認められる年齢から平均寿命の年齢までの期間は、老年期間として、同じ表示長にする。
【００７９】
したがって、戦国時代の人は、１５歳で成人と認められ、４０歳で老年と認められ、平均寿命が５０歳とし、現在の人は、２０歳で成人と認められ、６０歳で老年と認められ、平均寿命が８０歳とし、老年期間の表示長をＬとすると、戦国時代の人については１０年が、現在の人については２０年が、それぞれＬの長さで表示されるため、戦国時代の人については、未成年期間が１．５Ｌの長さで、成人と認められた年齢から老年と認められた年齢までの期間が２．５Ｌの長さで、それぞれ表示され、現在の人については、未成年期間がＬの長さで、成人と認められる年齢から老年と認められる年齢までの期間が２Ｌの長さで、それぞれ表示される。
【００８０】
この例によれば、時代の違いによる老年期間の絶対的な時間長の違いを捨象して、織田信長または戦国時代の人と、ユーザ自身または現在の人とを、より普遍的に比較対照することができる。
【００８１】
（２−５．時代以外の属性が異なる人の対照年表の作成表示）
上述した各例は、時代が異なる人の対照年表を作成表示する場合であるが、人の平均寿命や成人と認められる年齢などは、時代が同じでも、国などの地域や性別などによっても異なるので、この発明の上述した各例は、時代以外の地域や性別などの属性が異なる人の対照年表を作成表示する場合にも、適用することができる。
【００８２】
［３．人と動物の場合、または種が異なる動物の場合：図７〜図９］
この発明は、人と動物の対照年表を作成表示する場合、または、犬と猫などのように種が異なる動物の対照年表を作成表示する場合にも、適用することができる。
【００８３】
（３−１．人と動物の場合：図７〜図９）
人と動物の対照年表を作成表示する場合の例として、ユーザ自身の履歴とユーザがペットとして飼っている犬の履歴とを対照表示する場合を示す。
【００８４】
＜平均寿命期間などの期間を同一に表示する場合：図７および図８＞
人と動物の対照年表を作成表示する場合にも、例えば、人および動物の平均寿命期間が、時間軸上で同じ位置および長さとなるように、時間軸を設定表示すると、好適である。
【００８５】
図７に、その一例を示す。この例は、ユーザがペットとして飼っている犬がチワワ（愛称：モモ）であり、図３に示したものと同様の画面１の年表表示領域３上に、チワワおよび人の平均寿命期間が、時間軸上で同じ位置および長さとなるように、時間軸４を設定表示する場合である。
【００８６】
具体的に、チワワの平均寿命を１５歳、人の平均寿命を８０歳とすると、時間軸４の始点から別の点までの、ある長さ分を、平均寿命期間４ｅとするとともに、この平均寿命期間４ｅを、チワワについては、産まれてから平均寿命の年齢に達するまでの１５年の期間とし、人については、生まれてから平均寿命の年齢に達するまでの８０年の期間とする。
【００８７】
したがって、時間軸４の１０ｍｍまたは１００ｍｍというような単位長さ当たりの時間長は、チワワについては、人の３／１６となり、逆に人については、チワワの５．３３倍となる。
【００８８】
さらに、年表表示領域３上には、時間軸４に関連づけて、モモの年表情報として、４つの事項情報９ａ，９ｂ，９ｃおよび９ｄを表示し、ユーザ自身の年表情報として、５つの事項情報８ｐ，８ｑ，８ｒ，８ｓおよび８ｔを表示する。
【００８９】
この例によれば、現在、モモが１３歳、ユーザが３１歳であって、両者の絶対的な年齢からは、モモの方がユーザより若くても、チワワと人という種の違いを捨象した観点からは、モモの方がユーザより、かなり老いていることが分かる。
【００９０】
また、モモが子を出産した時期と、ユーザが長女を出産した時期は、絶対的な年齢は異なるが、それぞれの一生の間で見れば、同じ頃であることが分かる。
【００９１】
平均寿命期間ではなく、例えば、チワワおよび人の非老年期間、すなわち生まれてから老年と認められる年齢までの期間が、時間軸上で同じ位置および長さとなるように、時間軸を設定表示してもよい。
【００９２】
具体的に、チワワは平均的に１０歳で老年と認められ、人は平均的に６０歳で老年と認められるとして、図８に示すように、時間軸４の始点から別の点までの、ある長さ分を、非老年期間４ｇとするとともに、この未老年期間４ｇを、チワワについては１０歳に達するまでの１０年の期間とし、人については、６０歳に達するまでの６０年の期間とする。
【００９３】
したがって、時間軸４の１０ｍｍまたは１００ｍｍというような単位長さ当たりの時間長は、チワワについては、人の１／６となり、逆に人については、チワワの６倍となる。また、非老年期間４ｇの表示長をＬとすると、チワワの平均寿命期間（１５年）の表示長は１．５Ｌとなり、人の平均寿命期間（８０年）の表示長は１．３３Ｌとなる。
【００９４】
この場合、同時に、例えば、時間軸４の上辺上の、チワワの１５歳を示す点と、時間軸４の下辺上の、人の８０歳を示す点とを結ぶ直線４ｈを、時間軸４上に表示することによって、チワワの平均寿命期間、および人の平均寿命期間が、一目で分かるようにすると、好適である。
【００９５】
この例によれば、現在、ユーザは若年期であるのに対してモモは老年期であることが、一目で分かるとともに、チワワの方が人より相対的に、平均寿命期間に占める老年期間（老年と認められる年齢から平均寿命の年齢までの期間）の割合が大きく、逆に平均寿命期間に占める非老年期間の割合が小さいことが分かる。
【００９６】
非老年期間ではなく、例えば、未成熟期間（チワワについては産まれてから成熟したと認められる年齢までの期間、人については上記の未成年期間）が、時間軸上で同じ位置および長さとなるように、時間軸を設定表示してもよい。
【００９７】
この場合でも、上記のモモとユーザ自身の例では、現在、ユーザは若年期であるのに対して、モモは老年期であることが、一目で分かる。
【００９８】
さらに、チワワおよび人の、老年期間（老年と認められる年齢から平均寿命の年齢までの期間）が、時間軸上で同じ位置および長さとなるように、時間軸を設定表示してもよい。
【００９９】
＜種に応じた時期を同じ位置に表示する場合：図９＞
人と動物の対照年表を作成表示する場合にも、両者の成熟したと認められる年齢（人については成人と認められる年齢）や老年と認められる年齢などの時期（時点）が、時間軸方向において同じ位置となるように、時間軸を設定表示してもよい。
【０１００】
具体的に、上記のようにモモとユーザ自身の対照年表を作成表示する場合、図９に示すように、チワワが老年と認められる年齢（１０歳）と、人が老年と認められる年齢（６０歳）が、同じ位置となるように、チワワにつき時間軸５を設定表示し、人につき時間軸６を設定表示する。
【０１０１】
この場合、チワワの平均寿命期間は、時間軸５上の斜線部分で示すように、１５年の期間に相当する長さで表示し、人の平均寿命期間は、時間軸６上の斜線部分で示すように、８０年の期間に相当する長さで表示する。
【０１０２】
この例でも、現在、ユーザは若年期であるのに対して、モモは老年期であることが、一目で分かる。
【０１０３】
＜ある期間を同じ長さに表示する場合＞
人と動物の場合にも、それぞれの、ある期間が、時間軸方向において同じ位置ではないが、同じ表示長となるように、時間軸を設定表示してもよい。
【０１０４】
例えば、上記のようにチワワのモモとユーザ自身の対照年表を作成表示する場合、図９の例と同様に、チワワについての時間軸と、人についての時間軸を、別個に設定するが、それぞれの０歳は、同じ位置にするとともに、それぞれの老年期間（老年と認められる年齢から平均寿命の年齢までの期間）は、同じ表示長にする。
【０１０５】
したがって、チワワは１０歳で老年と認められ、平均寿命が１５歳とし、人は６０歳で老年と認められ、平均寿命が８０歳とし、老年期間の表示長をＬとすると、チワワについては５年が、人については２０年が、それぞれＬの長さで表示されるため、チワワについては、非老年期間が２Ｌの長さで表示され、人については、非老年期間が３Ｌの長さで表示される。
【０１０６】
この例によれば、種の違いによる老年期間の絶対的な時間長の違いを捨象して、モモまたはチワワと、ユーザ自身または人とを、より普遍的に比較対照することができる。
【０１０７】
（３−２．種が異なる動物の場合）
動物であっても、例えば、犬と猫では、平均寿命や、成熟したと認められる年齢、老年と認められる年齢などが異なる。また、犬であっても、例えば、小型犬のチワワと大型犬のシェパードでは、平均寿命や、成熟したと認められる年齢、老年と認められる年齢などが異なる。
【０１０８】
したがって、この発明は、犬と猫、またはチワワとシェパードなど、種が異なる動物の対照年表を作成表示する場合にも、適用することができる。
【０１０９】
ユーザは、ペットとして、犬と猫を飼っていることや、違う種の犬を飼っていることがある。このような場合、上述した各例のような方法によって、それぞれの動物の対照年表を作成表示すれば、種の違いによる平均寿命期間の絶対的な時間長の違いなどを捨象して、それぞれの動物を、より普遍的に比較対照することができる。
【０１１０】
［４．他の実施形態］
比較対照する各個体は、人または犬や猫などの動物に限らず、虫や菌類などの生物、樹木や花などの植物、または星など、誕生から死滅に至る過程が観念されるものであればよく、平均寿命期間や未成熟期間などの期間の時間長も、年単位に限らず、それより遥かに短い時間または長い時間でもよい。
【図面の簡単な説明】
【０１１１】
【図１】この発明の方法を実行するシステムの一例を示す図である。
【図２】図１の情報処理装置の機能構成を示す図である。
【図３】この発明による対照年表の一例を示す図である。
【図４】ＣＰＵが実行する処理の一例を示す図である。
【図５】この発明による対照年表の一例を示す図である。
【図６】この発明による対照年表の一例を示す図である。
【図７】この発明による対照年表の一例を示す図である。
【図８】この発明による対照年表の一例を示す図である。
【図９】この発明による対照年表の一例を示す図である。
【符号の説明】
【０１１２】
主要部については図中に全て記述したので、ここでは省略する。
【図１】
2008129752.tif 000003
【図２】
2008129752.tif 000004
【図３】
2008129752.tif 000005
【図４】
2008129752.tif 000006
【図５】
2008129752.tif 000007
【図６】
2008129752.tif 000008
【図７】
2008129752.tif 000009
【図８】
2008129752.tif 000010
【図９】
2008129752.tif 000011